(57)【要約】【課題】早送り再生又は巻き戻し再生を行った場合に、その再生方向及び再生速度に応じた字幕の一覧表示を映像部分と分けて表示を行うことにより、字幕の内容を容易に確認する。【解決手段】映像再生装置は、映像と同時に字幕情報を表示できる映像再生装置であって、前記映像を再生中に、再生時刻を含む一定時間分の字幕情報を一覧表示する字幕情報一覧表示手段を備えることを特徴とする。これにより、映像の早送りや巻き戻しによる場面の選択だけでなく、一覧表示された字幕表示によって、所望の場面を素早く探し出すことができる。【選択図】図１
2009060422.tif 000002
【特許請求の範囲】
【請求項１】
映像と字幕情報を表示できる映像再生装置であって、
前記映像を再生中に、再生時刻を含む一定時間分の字幕情報を一覧表示する字幕情報一覧表示手段
を備えることを特徴とする映像再生装置。
【請求項２】
前記字幕情報一覧表示手段は、
映像と重ねるか、又は前記映像と異なる領域でスクロール表示やページ毎の切り替え表示を行い、再生速度が所定の閾値を超えた場合には、前記字幕情報の一部分のみを表示する字幕情報一部分再生表示手段
を備えることを特徴とする請求項１に記載の映像再生装置。
【請求項３】
前記字幕情報一覧表示手段は、
前記字幕情報が前記映像を再生中の映像時刻前後の情報を有し、再生時刻に一致する字幕情報を強調表示する強調表示手段
を更に備えることを特徴とする請求項１又は２に記載の映像再生装置。
【請求項４】
前記字幕情報一覧表示手段は、
前記字幕情報が前記映像を再生中の映像の配役や音の種類に対応して、表示形態を変更する表示形態変更手段
を更に備えることを特徴とする請求項１乃至３の何れか１項に記載の映像再生装置。
【請求項５】
前記表示形態変更手段は、
前記表示形態について、表示文字の色や形や大きさ、フォントを変更して表示する
ことを特徴とする請求項４に記載の映像再生装置。
【発明の詳細な説明】
【技術分野】
【０００１】
本発明は、光ディスクやＵＳＢ（universal serial bus）メモリやＳＤ（secure digital）メモリ等のメディアに記録されたデータやデジタル放送によるデータ等をデジタル映像として再生する映像再生装置に関する。
【背景技術】
【０００２】
近年、Ｂｌｕ−ｒａｙ  Ｄｉｓｃなどのデジタル映像システムでは、映画をエンコードして配給するコンテンツホルダ側で、映画に関する情報を映像や音声に付加して圧縮している。
【０００３】
そして、ＭＰＥＧ（Moving Picture Experts Group）２−ＴＳによって多重化したトランスポート・ストリームをデジタル変調して光ディスクに記録している。
【０００４】
従って、視聴者の再生装置の側で、光ディスクに記録された情報を読み込み、データを復調してトランスポート・ストリームを生成し、映像、音声、その他の情報に分離して解析することにより、視聴者にコンテンツ等を提示している。
【０００５】
また、Ｂｌｕ−ｒａｙ  Ｄｉｓｃでは、コンテンツホルダ側で、映画の字幕に関する情報を、映像や音声とは別のＰＥＳ（Packetized Elementary Stream）中に格納してトランスポート・ストリームとして多重化して送出している。
【０００６】
再生装置においては、この情報をトランスポート・ストリームから分離して解析することにより、字幕を画面に表示している。
【０００７】
また、デジタル放送の受信や、インターネットでのダウンロードなどによって得られたデジタル映像信号を記録することができるデジタル信号記録再生装置も開発されている。
【０００８】
このデジタル信号記録装置としては、Ｄ−ＶＨＳ（Data Video Home System）、ハードディスク、ＤＶＤ−ＲＡＭ（Digital Versatile Disk Random Access Memory）などの方式が普及している。
【０００９】
更に、ＢＤ−Ｒ（Blu-ray Disc Recordable）、ＢＤ−ＲＥ（Blu-ray Disc Rewritable）などの各種方式も普及しつつある。
【００１０】
これらの装置は、本実施形態で説明する映像再生装置と同様の機能を持つことが可能である。
【００１１】
ところで、字幕や文字スーパーの情報を格納した字幕ＰＥＳデータは、次のようなデータなどを含んでいる。
【００１２】
ストリームＩＤ、ＰＴＳ（Presentation Time Stamp）、ＤＴＳ（Decoding Time Stamp）、データグループＩＤ、及び一つのデータグループデータである。
【００１３】
データグループデータは、一つあるいは複数のデータユニットを含んでいる。
【００１４】
また、データグループデータには、字幕管理データを示すものと字幕文データを示すものとがあり、それらはデータグループＩＤによって区別される。
【００１５】
字幕管理データには、字幕のｌａｎｇｕａｇｅ＿ｔａｇ（言語識別）や表示書式（解像度や縦書き横書きの区別等）といった字幕の属性を示す情報が含まれている。
【００１６】
そして、字幕を表示する映像においては、最低でも５秒に一度は記録され、映像の字幕の有無の判断基準ともなっている。
【００１７】
更に、字幕管理データには、ＴＭＤ（時刻制御モード）やｎｕｍ＿ｌａｎｇｕａｇｅ（言語数）、ＤＭＦ（表示モード）、ＩＳＯ＿６３９＿ｌａｎｇｕａｇｅ＿ｃｏｄｅ（言語コード）、ＴＣＳ（文字符号化方式）といった情報が含まれている。
【００１８】
そして、これらの情報に続くデータユニットには、ＡＲＩＢ  ＳＴＤ−Ｂ３やＡＲＩＢ  ＳＴＤ−Ｂ２４で規定されている８単位符号により、実際の画面提示には関連しない字幕のデータが記述されている。
【００１９】
一方、字幕文データのデータユニットには、実際に表示する字幕や文字スーパーの内容が８単位符号により記述されている。
【００２０】
更に、字幕文データのデータユニットには、ＴＭＤ及びＳＴＭ（提示開始時刻）が含まれており、ＳＴＭにはＴＭＤにより時刻同期が指定された場合に同期すべき時刻を示す値が格納されている。
【００２１】
画面に表示する字幕は、字幕文データ中のＴＭＤと字幕文データの含まれるデータグループ中のＰＴＳに従うことにより、映像に同期させて表示される（ＰＴＳ同期）。
【００２２】
一方、文字スーパーは、字幕文データ中のＴＭＤとＳＴＭによって、特定の時刻に同期させて表示されるようになっている（ＳＴＭ同期）。
【００２３】
ここで、これらの字幕情報を表示する手法は、幾つか考案されている。
【００２４】
例えば、特開２００４−０８０４７６に記載されているように一覧表示を用いて検索を行ったり、特開２００２−０３３９９３の記載では、表示する映像の上に再生速度に応じた字幕表示行を用意する手法などを用いて表示することが開示されている。
【特許文献１】特開２００４−０８０４７６号公報
【特許文献２】特開２００２−０３３９９３号公報
【発明の開示】
【発明が解決しようとする課題】
【００２５】
しかしながら、従来の手法では、再生装置において読み込んだ字幕情報の表示を、映像の再生速度に対応させて処理していた。
【００２６】
すなわち、早送り再生時や巻き戻し再生時であっても、映像の再生速度に併せて字幕の表示を行っていた。
【００２７】
そのため、視聴者は、通常の再生速度では、字幕の内容を容易に理解できるが、早送り再生を行った場合には、再生速度に応じた字幕の表示が行われるために、表示される字幕の変化が速くなるので、字幕の内容を確認することが困難になる。
【００２８】
そこで、別の再生装置によっては、早送り再生や巻き戻し再生時の場合には、字幕の表示を行わないようにする例もある。
【００２９】
このような、早送り再生や巻き戻し再生が行われたときに字幕が表示されない場合には、字幕の内容を確認することが難しかった。
【００３０】
更に、比較的低速度で巻き戻し再生を行った場合でも、表示される字幕の順番が逆になるので、視聴者は、字幕の内容を確認することが困難になる。
【００３１】
このような問題に関して、例えば、特開２００２−０３３９９３号公報では、字幕表示文字行数を複数行用意することにより解決を図っている。
【００３２】
しかしながら、映像上に重畳して複数行の字幕文字列が表示されるので、字幕表示部分の映像の可視性が低下する問題が発生する。
【００３３】
本発明は、このような問題点に鑑み、早送り再生又は巻き戻し再生を行った場合に、その再生方向及び再生速度に応じた字幕の一覧表示を映像部分と分けて表示することにより、字幕の内容を容易に確認することができる映像再生装置を提供することを目的とする。
【課題を解決するための手段】
【００３４】
上記目的を達成するために、本発明に係る映像再生装置は、映像と字幕情報を表示できる映像再生装置であって、前記映像を再生中に、再生時刻を含む一定時間分の字幕情報を一覧表示する字幕情報一覧表示手段を備えることを特徴とする。
【００３５】
更に、前記映像再生は、通常の速度で再生する通常再生、および通常速度とは異なる速度で再生する特殊再生のいずれかであることを特徴とする。
【００３６】
更に、前記字幕情報一覧表示手段は、映像と重ねるか、又は前記映像と異なる領域でスクロール表示やページ毎の切り替え表示を行い、再生速度が所定の閾値を超えた場合には、前記字幕情報の一部分のみを表示する字幕情報一部分再生表示手段を備えるようにしても良い。
【００３７】
更に、前記字幕情報一覧表示手段は、前記字幕情報が前記映像を再生中の映像時刻前後の情報を有し、再生時刻に一致する字幕情報を強調表示する強調表示手段を更に備えるようにしても良い。
【００３８】
更に、前記字幕情報一覧表示手段は、前記字幕情報が前記映像を再生中の映像の配役や音の種類に対応して、表示形態を変更する表示形態変更手段を更に備えるようにしても良い。
【００３９】
更に、前記表示形態変更手段は、前記表示形態について、表示文字の色や形や大きさ、フォントを変更して表示するようにしても良い。
【発明の効果】
【００４０】
以上説明したように、本発明によれば、この映像再生装置は、映像の早送りや巻き戻しによる場面の選択だけでなく、一覧表示された字幕表示によって、所望の場面を素早く探し出すことができるという効果を奏する。
【発明を実施するための最良の形態】
【００４１】
次に、本発明を実施するための実施形態１について、図面を参照して詳細に説明する。
（第1の実施形態）
（１）映像記録再生機能を有する映像再生装置
図１は、本発明に係る第1の実施形態として、映像記録再生機能を有する映像再生装置を示したブロック図である。
【００４２】
図１に示す映像再生装置は、アンテナ１−０１と、チューナ１−０２と、デマルチプレクサ（図中では、これをＤＥＭＵＸと記載する。）１−０３と、録画再生処理部１−０４と、ＩＥＥＥ１３９４インターフェイス１−０５と、ＨＤＤ１−０６とを備えている。
【００４３】
ここで、ＨＤＤ１−０６は、内蔵ハードディスクのことをいう。
【００４４】
また、この映像再生装置は、ＡＶデコーダ１−０７と、映像処理回路１−０８と、音声処理回路１−０９と、映像出力回路１−１０と、音声出力回路１−１１と、ＡＶ出力端子１−１２と、映像／音声ケーブル１−１３と、モニタ１−１４とを備えている。
【００４５】
また、この映像再生装置は、リモコン送信機１−１５と、リモコン受光器１−１６と、ＭＰＵ１−１７と、メモリ１−１８と、ＯＳＤ回路１−１９と、光ディスク１−２０と、ディスク装置１−２１と、加算器１−２０とを備えている。
【００４６】
なお、ＯＳＤ回路１−１９とは、オンスクリーンディスプレイの機能を備えた回路のことである。
【００４７】
アンテナ１−０１は、屋外において所定の方向に向けて配置されており、例えば、ＢＳ（Broadcasting Satelite）から送られてくるデジタル放送波を受信する。
【００４８】
このアンテナ１−０１は、一般に周波数変換器を備え、受信／周波数変換した信号をチューナ１−０２に与える。
【００４９】
チューナ１−０２は、受信した高周波デジタル変調信号のうちから特定周波数の信号を取り出す。
【００５０】
すなわち、デジタル放送の複数のトランスポンダのなかから一つを選択する処理を行う。
【００５１】
また、チューナ１−０２は、復調回路、逆インタリーブ回路、誤り訂正回路などを備えることにより、選択したデジタル変調信号を復調して、トランスポートストリームを出力する。
【００５２】
また、光ディスク１−２０による映像を視聴することも可能である。
【００５３】
映像再生装置は、ディスク装置１−２１、復調回路、誤り補正回路などを備えており、光ディスク１−２０に記録されるデータを読み込むことが可能である。
【００５４】
ディスク装置１−２１から読み込まれたデータは、Ｂｌｕ−ｒａｙ  Ｄｉｓｃ規格などに則ってディスク上に記録されているデータの解析を行い、トランスポートストリームをデマルチプレクサ１−０３に出力する。
【００５５】
デマルチプレクサ１−０３は、チューナ１−０２やディスク装置１−２１から受け取ったトランスポート・ストリームを分解する。
【００５６】
具体的には、ＭＰＥＧ２のビデオストリーム、オーディオストリーム、ＰＳＩ／ＳＩ（Program Specific Information/Service Infomation）、及び他の情報に分離する。
【００５７】
デマルチプレクサ１−０３は、ビデオストリームとオーディオストリームを、ＡＶデコーダ１−０７に供給し、ＰＳＩ／ＳＩや字幕文字データなどの他の情報をＭＰＵ１−１７に供給する。
【００５８】
トランスポート・ストリームには、複数のチャンネルの映像データ等が多重化されている。
【００５９】
このため、多重化された複数のチャンネルの中から任意のチャンネルを選択するための処理は、ＰＳＩ／ＳＩから任意のチャンネルがトランスポート・ストリーム中で、どのパケットＩＤで多重化されているか、といったデータを取り出すことにより可能となる。
【００６０】
ここで、このデータは、ＰＡＴやＰＭＴなどのデータであって、ＭＰＥＧ２−ＴＳに含まれるＰＩＤデータを示すデータである。
【００６１】
また、トランスポート・ストリームの選定（トランスポンダの選定）も、ＰＳＩ／ＳＩの情報に基づいて行うことができる。
【００６２】
録画再生処理部１−０４は、デマルチプレクサ１−０３から出力されたパーシャルＴＳをＨＤＤ１−０６に書き込むことができる。
【００６３】
また、録画再生処理部１−０４は、ハードディスクドライブ１−０６からパーシャルＴＳを読み出すことができる。
【００６４】
また、録画再生処理部１−０４は、更に外部装置（他のデジタル放送再生装置、オーディオセット、ビデオカメラ、ストレージ等のデジタル機器）１−３１との間で、ＩＥＥＥ１３９４インターフェース１−０５を通じてパーシャルＴＳの入出力も行う。
【００６５】
ＡＶデコーダ１−０７は、ビデオストリームに対してデコードを行うビデオデコーダ（図示せず）、及びオーディオストリームに対してデコードを行うオーディオデコーダ（図示せず）を備えている。
【００６６】
ビデオデコーダは、入力された符号化信号を復号して量子化係数や動きベクトルを求め、逆ＤＣＴ変換や動きベクトルに基づく動き補償制御などを行う。
【００６７】
オーディオデコーダは、入力された符号化信号を復号して音声データを生成する。
【００６８】
デコードにより生成された映像データは、映像処理回路１−０８に出力される。
【００６９】
一方、音声データは音声処理回路１−０９に出力される。
【００７０】
映像処理回路１−０８は、ＡＶデコーダ１−０７から映像データを受け取ってＤ／Ａ（digital/analog）変換を行い、例えばＮＴＳＣフォーマットのコンポジット信号に変換する。
【００７１】
音声信号処理回路１−０９は、ＡＶデコーダ１−０７から出力された音声データを受け取ってＤ／Ａ変換を行い、例えば右（Ｒ）音のアナログ信号および左（Ｌ）音のアナログ信号を生成する。
【００７２】
映像出力回路１−１０及び音声出力回路１−１１は、出力抵抗や増幅器等を備えている。
【００７３】
ＡＶ出力端子１−１２には、出力部（左右音声出力端子等や映像出力端子のセット）が設けられており、この出力部には、ディスプレイやスピーカを備えるモニタ１−１４が映像／音声ケーブル１−１３によって接続されている。
【００７４】
ＯＳＤ回路１−１９は、ＭＰＵ１−１７から出力指示された文字情報や色情報に基づくビットマップデータを加算器１−２２に出力する。
【００７５】
加算器１−２２は、ビットマップデータに基づく映像を受信映像に組み込む処理を行う。
【００７６】
上記ＯＳＤ回路１−１９により、ＭＰＵ１−１７が受け取ったＰＳＩ／ＳＩに基づくＥＰＧ（Electronic Program Guide）画面表示、メニュー画面表示、字幕文字データによる字幕表示などの各種表示が実現される。
【００７７】
また、再生動画像の大きさなどの制御は、ＭＵＰ１−１７から映像処理回路１−０８への制御によって可能である。
【００７８】
映像処理回路１−０８は、映像データをディスプレイの任意の位置に対して、任意の大きさで表示を行うように制御を行うことができる。
【００７９】
これにより、ＯＳＤ回路１−１９と映像処理回路１−０８によって、再生動画像を重畳表示する以外に、並べて表示を行ったり、動画像を小さく表示し、横に字幕一覧を表示するなどの画像表示が可能になる。
【００８０】
リモコン送信機１−１５は、当該映像再生装置１−３０に指令を送出するための送信機である。
【００８１】
ユーザがこのリモコン送信機１−１５に設けられたキーを操作すると、そのキーに対応した指令を意味する信号光（リモコン信号）がリモコン送信機１−１５の発光部からリモコン受光器１−１６に送出される。
【００８２】
リモコン受光器１−１６は、リモコン送信機１−１５のキーが操作されたときに出射される信号光を受光し、これを電気信号に変換してＭＰＵ１−１７に与える。
【００８３】
メモリ（例えば、フラッシュＲＯＭやＥＥＰＲＯＭ等）１−１８には、ＥＰＧ画面表示のための番組表データなどが格納される他、字幕文字データとその提示時刻の映像とを対応付けるテーブルの作成に利用される。
（２）本実施形態における映像再生装置の字幕表示方法
次に、本実施形態における字幕の表示方法に関して説明する。
【００８４】
視聴者が、図２で示されるような通常再生の状態から、リモコン送信装置１−１５を使って字幕リスト表示機能を選択した場合（字幕リスト表示選択時や、早送り再生、巻き戻し再生など選択時）、字幕文字に関し、ＭＰＵ１−１７は、以下のように処理を行う。
【００８５】
まず、視聴者が、字幕表示形態として、図３で示される字幕表示状態を選択している場合、字幕表示選択や早送り再生や巻き戻し再生を行う。
【００８６】
そうすると、図２の通常再生状態から、現在受信中の字幕文字データやＤＶＤやＢＤに記録されている字幕文字データから作成される字幕リストを、現在再生している動画像と並べて同時に映像表示を行う。
【００８７】
なお、図２に示されている状態では、通常の映像の上に字幕データを合成表示しているが、図３のようにモニタ１−１４の表示領域３−０１には、再生中の動画表示領域３−０２と字幕リスト表示領域３−０３に分けられて表示される。
【００８８】
また、字幕リストは、字幕文字データから作成させる字幕情報であって、再生時刻を含むと共に、再生中の動画像に対応する映像時刻前後の一定時間分の字幕情報を有している。
【００８９】
このような画像処理は、ＭＰＵ１−１７によって画像合成用データが作成され、ＯＳＤ回路１−１９、加算器１−２２及び映像処理回路１−０８を用いて画像が合成される。
【００９０】
また、ＭＰＵ１−１７は、ＯＳＤ回路１−１９を通じ、再生速度に応じて動画表示領域３−０３の字幕リストのスクロール表示を行う。
【００９１】
字幕リストの表示速度及びスクロール速度は、通常再生速度及びスロー再生速度、早送り速度、巻き戻し速度などに同期させて決定する。
【００９２】
そして、ＭＰＵ１−１７は、字幕リストの表示速度がある閾値を超えた場合には、字幕表示リストを作成する際に、文字列数を削減して字幕情報の一部分の字幕表示リストを作成する。
【００９３】
この閾値の決定は、視聴者が高速表示される字幕リストの内容を認識出来るかどうかによって決定される値である。
【００９４】
従って、最適値を固定値として映像再生装置に与えるようにしても良く、視聴者が閾値を任意に設定変更できるようにしても良い。
【００９５】
また、ＭＰＵ１−１７は、動画表示領域３−０２で表示されている動画に対応する字幕に対し、映像の再生時刻に一致して強調表示３−０４を行うようにＯＳＤ回路１−１９を通じて表示させる。
【００９６】
強調表示は、文字列の大きさやフォントを変更したり、カーソル等のマーカーを表示することにより行う。
【００９７】
また、セリフの配役や音の種類によって、フォント等を変更するようにしてもよい。
【００９８】
また、視聴者の指示に基づいて、字幕リストの表示方法が、ＭＰＵ１−１７により行単位によるスクロールだけでなく、図４に示されるようなページスクロールする方法や、図５に示されるようなページ毎に画面を切り替える方法を備えるようにしても良い。
【００９９】
なお、図４には、ページスクロールに関して説明している。
【０１００】
具体的には、字幕表示領域３−０３には、字幕表示領域４−０１に示すようにブロック１（字幕表示領域４−０２）とブロック２（字幕表示領域４−０３）とが表示されている。
【０１０１】
更に、映像の再生時間が現在の時間よりも先である字幕部分を表示する為にＭＰＵ１−１７は、ブロック３（字幕表示領域４−０４）をメモリ１−１８内に作成して、映像の再生時間に合わせて表示を切り替える。
【０１０２】
この場合、表示を切り替えた後の字幕表示領域３−０３は、字幕表示領域４−０５で示されるように、ブロック１（字幕表示領域４−０２）は消去され、その代わりにブロック２（字幕表示領域４−０６）とブロック３（字幕表示領域４−０７）が表示される。
【０１０３】
このとき、ＭＰＵ１−１７は、更に、次の字幕表示ブロックであるブロック４（字幕表示領域４−０８）を作成する。
【０１０４】
これにより、このような表示を繰り返すことにより、ページスクロール表示を実現することができる。
【０１０５】
また、図５には、字幕リストを随時書き換える表示方法を示している。
【０１０６】
字幕表示領域３−０３は、字幕表示領域５−０１で示される字幕表示方法を行うことも可能である。
【０１０７】
具体的には、再生表示領域３−０２に示される動画に対応する字幕部分（カーソル５−０２）を、動画に合わせて移動させることにより字幕の表示を更新する。
【０１０８】
この場合、このカーソル５−０２は、矢印５−０３で示す方向に移動しながら、一番下に到達したら字幕リストの全面書き換えを行い、先頭に戻るといった、字幕リストの上書き表示を随時行うことができる。
【０１０９】
上記のように、本実施形態によれば、映像再生装置は、映像の再生速度に合わせた字幕一覧表示を再生画像と同期して表示することによって、字幕の一覧性が向上され、字幕の内容が容易に判断出来るようになる。
（３）本実施形態における映像再生装置の効果
以上説明したように、本発明によれば、映像の早送りや巻き戻しによる場面の選択だけでなく、一覧表示された字幕表示によって所望の場面を素早く探し出すことができる。
【０１１０】
なお、本実施形態では、モニタ１−１４が字幕情報一覧表示手段を構成し、ＭＰＵ１−１７が字幕情報一部分再生表示手段を構成し、ＯＳＤ回路１−１９が強調表示手段を構成し、ＭＰＵ１−１７が表示形態変更手段を構成している。
【０１１１】
しなしながら、本実施形態はこれに限定されるものではなく、他の実施形態により、本発明を実施するようにしても良い。
【図面の簡単な説明】
【０１１２】
【図１】本発明に係る第１の実施形態における映像再生装置の構成を示すブロック図である。
【図２】本発明に係る第１の実施形態における映像再生装置が通常の再生を行っている場合の通常再生状態を示した図である。
【図３】本発明に係る第１の実施形態における映像再生装置が字幕リストを表示した場合の字幕リスト表示状態を示した図である。
【図４】本発明に係る第１の実施形態における映像再生装置が表示するページスクロール表示を示した図である。
【図５】本発明に係る第１の実施形態における映像再生装置がページの上書きを行うページ上書き表示を示した図である。
【符号の説明】
【０１１３】
１−０１  アンテナ
１−０２  チューナ
１−０３  デマルチプレクサ
１−０４  録画再生処理部
１−０５  ＩＥＥＥ１３９４インターフェイス
１−０６  ＨＤＤ
１−０７  ＡＶデコーダ
１−０８  映像処理回路
１−０９  音声処理回路
１−１０  映像出力回路
１−１１  音声出力回路
１−１２  ＡＶ出力端子
１−１３  映像／音声ケーブル
１−１４  モニタ
１−１５  リモコン送信機
１−１６  リモコン受信器
１−１７  ＭＰＵ
１−１８  メモリ
１−１９  ＯＳＤ回路
１−２０  光ディスク
１−２１  ディスク装置
１−２２  加算器
【図１】
2009060422.tif 000003
【図２】
2009060422.tif 000004
【図３】
2009060422.tif 000005
【図４】
2009060422.tif 000006
【図５】
2009060422.tif 000007